(57)【要約】【課題】ペットが他の乗客と同乗した際に、他の乗客に迷惑を掛けることがなく、不快感を与えることがなく、また、ペットの柵内への出入りを容易に且つ安全に行なえるエレベーターの乗りかごを提供する。【解決手段】かご床３から上方に立ち上げ、かご床３を仕切るように設けた立上げ部１と、前記立上げ部１の上部に設けた天板２と、乗りかごを形成する側板４とで箱体６を構成し、箱体６を乗りかごから脱着可能に設けた。また、前記箱体６の任意の位置に、箱体６の内側に開閉自在で箱体６の外側には回動せず、且つ自閉力を有する扉７を設ける構成とした。更に、前記立上げ部１もしくは前記天板２に、前記箱体６の外部と内部を貫通する任意幅の溝９を設けた。【選択図】        図１
2004331261.tif 000002
【特許請求の範囲】
【請求項１】
かご床から上方に立ち上げ、かご床を仕切るように設けた立上げ部と、前記立上げ部の上部に設けた天板と、乗りかごを形成する側板とで箱体を構成し、箱体を乗りかごから脱着可能に設けたことを特徴とするエレベーターの乗りかご。
【請求項２】
前記乗りかごにおいて、前記箱体の任意の位置に、箱体の内側に開閉自在で箱体の外側には回動せず、且つ自閉力を有する扉を設けたことを特徴とする請求項１記載のエレベーターの乗りかご。
【請求項３】
前記乗りかごにおいて、前記立上げ部もしくは前記天板に、前記箱体の外部と内部を貫通する任意幅の溝を設けたことを特徴とする請求項１記載のエレベーターの乗りかご。
【発明の詳細な説明】
【０００１】
【発明の属する技術分野】
本発明はペットを乗せるのに好適なエレベーターの乗りかごに関する。
【０００２】
【従来の技術】
この種の従来の装置としては、乗りかご内にかご床の一部分を区切るように柵が設けられ、そしてこの柵は側板に設置された軸部に回転自在に設けられていたものが提案されている（例えば、特許文献１参照。）。
【０００３】
【特許文献１】
特開平１０−１３９３２０号公報
（段落番号００１０、第１図、第２図）
【０００４】
【発明が解決しようとする課題】
従来の技術では、乗りかご内に柵が設けられていたが脱着不可能であったため、柵が不要な場合でも乗りかご内に柵が残り、かご床の有効スペースが制限されることがあった。また、柵上部の天板等がなかったため、例えばペットが柵内にいる場合、他の乗客が同乗した際に、他の乗客が柵内にいるペットの視界に入り、柵内のペットが他の乗客に吠えたりすることがあった。また、柵内のペットが他の乗客の視界に入るため、吠えられたりすることがなくてもペットと同乗することを好まない他の乗客に不快感を与えることがあった。
【０００５】
また、従来の柵は、回動自在に構成されていたが、柵が大型（柵は乗りかごの内側幅の長さとなる）であったため、ペットの出し入れ時に柵を手動開閉するのが非常に困難であった。例えばエレベーターを降りる際には、一旦柵を開けペットを柵外に出した後、再度柵を閉じる必要があるため、ペットを乗りかご内に留まらせたまま柵を閉じるという困難な動作が必要となり、また、柵を閉じている間にペットがエレベーター外へ飛び出したり、同乗者に飛び掛かり思わぬ怪我をさせてしまう恐れがあった。
【０００６】
また、ペットを引き綱で誘導する場合、柵の外部と内部を貫通する溝などがなかったため、引き綱は柵の上部をまたがせる必要があり、柵の内部でペットが移動したりペットを出し入れする動作が煩雑であった。
【０００７】
本発明の目的は、かご内に設けた柵や天板が不要な場合には、柵や天板を取外してかご内のスペースを最大限有効に使えるようにし、また、ペットが他の乗客と同乗した際に、他の乗客に吠えるなどの迷惑を掛けることがなく、ペットが他の乗客の視界に入り不快感を与えることがなく、また、ペットの柵内への出入りを容易に且つ安全に行なえるようにし、更に、引き綱を引けばペットの誘導を容易に行なえるエレベーターの乗りかごを提供することにある。
【０００８】
【課題を解決するための手段】
上記目的を解決するために、本発明の請求項１の発明は、かご床から上方に立ち上げ、かご床を仕切るように設けた立上げ部と、前記立上げ部の上部に設けた天板と、乗りかごを形成する側板とで箱体を構成し、箱体を乗りかごから脱着可能に設けた構成とし、請求項２の発明は、前記箱体の任意の位置に、箱体の内側に開閉自在で箱体の外側には回動せず、且つ自閉力を有する扉を設ける構成とし、請求項３の発明は、前記立上げ部もしくは前記天板に、前記箱体の外部と内部を貫通する任意幅の溝を設けた構成としたものである。
【０００９】
【発明の実施の形態】
以下、本発明のエレベーター乗りかごの実施形態を図を用いて説明する。
【００１０】
図１は本発明の一実施形態になるエレベーター乗りかごの斜視図、図２は図１の平面図である。
【００１１】
図１において、立上げ部１は、かご床３から上方に所定の高さまで立上げられ、かご床３を所定の範囲に仕切るように設けられており、前記立上げ部１と、乗りかごを形成する側面もしくは背面の側板４との間に所定の空間が形成されている。また、前記立上げ部１の上部には、かご床面と水平に設けた天板２が設けられ、前記立上げ部１の上端面と天板２の一端部はボルト等５により脱着可能に締結されており、天板２の他端部は、前記側板４とボルト等５で固定されている。このように前記立上げ部１と側板４及び天板２により箱体６が形成されている。なお、前記立上げ部１とかご床３はボルト等５で強固に固定しているが、特に固定しなくても差し支えない。また、前記天板２と乗りかごを締結するボルト等５は、乗りかご内から脱着を行なえるようになっている。一方、前記箱体６の任意の位置には、前記立上げ部１もしくは天板２に設けたヒンジ８を介して扉７が設置されている。前記扉７は、前記箱体６の内側には開閉自在であるが、箱体６の外側には回動しないように設けられている。また、前記ヒンジ８の近傍には図示しないばねが設けられており、扉７を箱体６の内側に回動して開けた際、扉７を保持しなければ自閉するように構成されている。また、前記箱体６及び扉７は、箱体６の内部が乗りかごの同乗者から見えず、且つ内部のペットからは箱体６の外部が見えない材質で形成されている。また、前記立上げ部１もしくは前記天板２には、前記箱体６の外部と内部を貫通する任意幅の溝９が設けられている。
【００１２】
本実施形態では、このように箱体６と扉７を構成したため、必要な時に箱体６を乗りかご内に設置することができ、また、不要な時には取り外して乗りかごから取出せるようになっており、必要に応じて乗りかご内のスペースを最大限有効に使用することができる。また、ペットを乗りかごに乗せる際には、扉７を箱体６の内側に押し開け、引き綱を引いてペットを扉７の内側まで誘導すれば、ペットを箱体６の内部に容易に入れることができると共に、引き綱を箱体６に設けた溝９に通し、溝９に沿って移動すれば、引き綱をペットから外すことなく箱体６内部での移動が可能である。このように箱体６の内部にペットを誘導すれば、ペットは乗りかご内から死角になるため、他の同乗者に不快感を与えることがなく、また、箱体内６のペットからも外部は見えないため、不用意に吠える等の迷惑を他の同乗者に与えることもない。また、扉７は手を放せば自閉するため、ペットを箱体６内に入れた後に扉７を閉める動作が不要となり、扉７を閉め忘れてペットが突然箱体６外へ飛び出すこともない。ペットを箱体６階に出す際には、扉７を箱体６内部に押し開け、同時に引き綱でペットを箱体６外部へ誘導すればよい。このように、ペットの引き綱を取り外すことなく、また抱きかかえたりすることなく、箱体６へのペットの出し入れを容易に行なうことができる。
【００１３】
本実施形態では、箱体６を出入口側から見て前後方向に配置したが、図３のように出入口側から見て左右方向に配置しても同様の効果が得られる。また、箱体６の形状を四角体としたが、図４のようにドーム型や図５のように三角型に形成しても同様の効果が得られる。また、扉７は横方向に回動するよう構成したが、縦方向に回動するようにしてもよい。
【００１４】
【発明の効果】
本発明によれば、かご内に設けた柵や天板が不要な場合には、柵や天板を取外してかご内のスペースを最大限有効に使えるようにし、また、ペットが他の乗客と同乗した際に、他の乗客に吠えるなどの迷惑を掛けることがなく、ペットが他の乗客の視界に入り不快感を与えることがなく、また、ペットの柵内への出入を容易に且つ安全に行なえるようにし、更に、引き綱を引けばペットの誘導を容易に行なうことができる。
【図面の簡単な説明】
【図１】本発明の一実施形態になるエレベーター乗りかごの斜視図である。
【図２】図１の平面図である。
【図３】本発明の他の実施形態になるエレベーター乗りかごの斜視図である。
【図４】本発明の他の実施形態になるエレベーター乗りかごの斜視図である。
【図５】本発明の他の実施形態になるエレベーター乗りかごの斜視図である。
【符号の説明】
１  立上げ部
２  天板
３  かご床
４  側板
５  ボルト等
６  箱体
７  扉
８  ヒンジ
９  溝
【図１】
2004331261.tif 000003
【図２】
2004331261.tif 000004
【図３】
2004331261.tif 000005
【図４】
2004331261.tif 000006
【図５】
2004331261.tif 000007